(57)【要約】【課題】折り丁毎に綴じ代の調整が可能な画像処理装置及び画像形成装置を提供する。【解決手段】画像データを入力する画像入力部を備え、印刷媒体を折り曲げて作成される各折り丁を中綴じして、複数ページからなる折り丁冊子を製本するために、画像データを処理する画像処理装置に、折り丁単位の折り丁ページ数を設定する設定部と、印刷媒体の媒体サイズ情報を取得するサイズ取得部と、入力された画像データに、ページ単位でページ番号をそれぞれ付与し、画像ページ数を取得する付与取得部と、折り丁ページ数と画像ページ数とに基づいて、折り丁冊子の総ページ数を算出するページ算出部と、折り丁ページ数と媒体サイズ情報と総ページ数とに基づいて、各ページ番号に対応する印字領域をそれぞれ決定する決定部と、画像データをページ単位で対応するページ番号に対して決定された印字領域内の変換画像データにそれぞれ変換する変換部とを設ける。【選択図】        図１
2010082945.tif 000002
【特許請求の範囲】
【請求項１】
画像データを入力する画像入力部を備え、印刷媒体を折り曲げて作成される各折り丁を中綴じして、複数ページからなる折り丁冊子を製本する画像データを処理する画像処理装置であって、
折り丁単位の折り丁ページ数を設定する設定部と、
前記印刷媒体の媒体サイズ情報を取得するサイズ取得部と、
入力された前記画像データにページ単位でページ番号をそれぞれ付与し、画像ページ数を取得する付与取得部と、
前記折り丁ページ数と前記画像ページ数とに基づいて、前記折り丁冊子の総ページ数を算出するページ算出部と、
前記折り丁ページ数と前記媒体サイズ情報と前記総ページ数とに基づいて、各前記ページ番号に対応する印字領域をそれぞれ決定する決定部と、
前記画像データをページ単位で対応する前記ページ番号に対して決定された前記印字領域内の変換画像データにそれぞれ変換する変換部と、
を備えることを特徴とする画像処理装置。
【請求項２】
製本後の折り丁冊子のページ順となるべく、各前記変換画像データのページ順を入れ替えて、製本印刷データを生成する入替生成部と、
生成された前記製本印刷データを出力する出力部と、
を更に備えることを特徴とする請求項１記載の画像処理装置。
【請求項３】
前記画像入力部により入力されるページ単位の前記画像データは、ＲＧＢビットマップデータからなることを特徴とする請求項１記載の画像処理装置。
【請求項４】
オペレータの操作に基づいて、１組の折り丁に含まれる折り丁ページ数を入力する操作入力部を更に備え、
前記設定部は、入力された前記折り丁ページ数を設定することを特徴とする請求項１記載の画像処理装置。
【請求項５】
前記媒体サイズ情報は、前記印刷媒体の長辺サイズ、短辺サイズ及び媒体厚サイズからなることを特徴とする請求項１記載の画像処理装置。
【請求項６】
各印刷媒体の種別を示す媒体種別情報に対応して、媒体サイズ情報を予め記憶する媒体情報記憶部と、
オペレータの操作に基づいて、媒体種別情報を入力する操作入力部と、
を更に備え、
前記サイズ取得部は、入力された前記媒体種別情報に基づいて、前記媒体情報記憶部から対応する媒体サイズ情報を取得する
ことを特徴とする請求項１記載の画像処理装置。
【請求項７】
前記サイズ取得部は、各前記印刷媒体の媒体サイズ情報を検出する検出部からなることを特徴とする請求項１記載の画像処理装置。
【請求項８】
前記検出部は、各前記印刷媒体が載置される載置部に配設されるセンサからなることを特徴とする請求項７記載の画像処理装置。
【請求項９】
前記折り丁ページ数、前記媒体サイズ情報及び前記総ページ数と、各前記ページ番号とに基づいて、対応する印刷媒体の折り曲げ位置から印字領域までの長さを綴じ代値としてそれぞれ導出する導出部を更に備え、
前記決定部は、導出された各前記綴じ代値に基づいて、前記ページ番号に対応する印字領域をそれぞれ決定し、
前記変換部は、決定された各前記印字領域に対応して、前記変換画像データへの変換動作を行う
ことを特徴とする請求項１記載の画像処理装置。
【請求項１０】
各前記印刷媒体の端部に設けられる余白領域の長さを余白長として予め記憶する余白長記憶部を更に備え、
前記決定部は、更に前記余白長に基づいて、前記印字領域を決定する
ことを特徴とする請求項９記載の画像処理装置。
【請求項１１】
前記折り曲げ位置から綴じ位置までの長さを第一綴じ代値として、前記折り丁ページ数及び前記媒体サイズ情報と、各前記ページ番号とに基づいて、折り丁毎に該第一綴じ代値を導出する第一導出部と、
前記綴じ位置から印字領域までの長さを第二綴じ代値として、前記媒体サイズ情報及び前記総ページ数と、各前記ページ番号とに基づいて、該第二綴じ代値を導出する第二導出部と、
を更に備え、
前記導出部は、導出された前記第一綴じ代値及び前記第二綴じ代値の和を、前記ページ番号に対応する前記綴じ代値として導出する
ことを特徴とする請求項９記載の画像処理装置。
【請求項１２】
前記第一導出部は、対応する折り丁の折り曲げ部分に基づいて、前記第一綴じ代値を導出することを特徴とする請求項１１記載の画像処理装置。
【請求項１３】
前記第二導出部は、折り丁冊子の折り曲げ部分に基づいて、前記第二綴じ代値を導出することを特徴とする請求項１１記載の画像処理装置。
【請求項１４】
前記折り曲げ位置から綴じ位置までの長さを第一綴じ代値として、前記折り丁ページ数及び前記媒体サイズ情報と、各前記ページ番号とに基づいて、折り丁毎に該第一綴じ代値を導出する第一導出部と、
導出された各前記第一綴じ代値に基づいて、対応する前記変換画像データに綴じ位置を示す綴じ位置画像データをそれぞれ付加して、付加変換画像データを生成する付加生成部と、
製本後の折り丁冊子のページ順となるべく、各前記付加変換画像データのページ順を入れ替えて、製本印刷データを生成する入替生成部と、
生成された前記製本印刷データを出力する出力部と、
を更に備えることを特徴とする請求項９記載の画像処理装置。
【請求項１５】
前記変換部は、対応する前記印字領域内に収まるべく、ページ単位の前記画像データを拡縮することを特徴とする請求項１記載の画像処理装置。
【請求項１６】
各前記画像データのページサイズと、対応する前記印字領域の領域サイズとに基づいて、それぞれの拡縮率を算出する拡縮率算出部を更に備え、
前記変換部は、算出された各前記拡縮率に基づいて、対応する前記画像データの拡縮を行うことを特徴とする請求項１５記載の画像処理装置。
【請求項１７】
各前記画像データのページサイズと、対応する前記印字領域の領域サイズとに基づいて、それぞれの拡縮率を算出する拡縮率算出部と、
算出された各拡縮率のうち、最小となる最小拡縮率を選定する選定部と、
を更に備え、
前記変換部は、選定された前記最小拡縮率に基づいて、ページ単位の前記画像データの拡縮を行うことを特徴とする請求項１５記載の画像処理装置。
【請求項１８】
画像データを入力する画像入力部を備え、印刷媒体を折り曲げて作成される各折り丁を中綴じして、複数ページからなる折り丁冊子を製本する画像データを処理する画像形成装置であって、
折り丁単位の折り丁ページ数を設定する設定部と、
前記印刷媒体の媒体サイズ情報を取得するサイズ取得部と、
入力された前記画像データにページ単位でページ番号をそれぞれ付与し、画像ページ数を取得する付与取得部と、
前記折り丁ページ数と前記画像ページ数とに基づいて、前記折り丁冊子の総ページ数を算出するページ算出部と、
前記折り丁ページ数と前記媒体サイズ情報と前記総ページ数とに基づいて、各前記ページ番号に対応する印字領域をそれぞれ決定する決定部と、
前記画像データをページ単位で対応する前記ページ番号に対して決定された前記印字領域内の変換画像データにそれぞれ変換する変換部と、
変換された各前記変換画像データに基づいて、印刷媒体に現像剤を用いて画像を形成する画像形成部と、
を備えることを特徴とする画像形成装置。
【請求項１９】
製本後の折り丁冊子のページ順となるべく、各前記変換画像データのページ順を入れ替えて、製本印刷データを生成する入替生成部を更に備え、
前記画像形成部は、生成された前記製本印刷データに基づいて、画像形成動作を行うことを特徴とする請求項１８記載の画像形成装置。
【請求項２０】
前記画像入力部により入力されるページ単位の前記画像データは、ＲＧＢビットマップデータからなることを特徴とする請求項１８記載の画像形成装置。
【請求項２１】
オペレータの操作に基づいて、１組の折り丁に含まれる折り丁ページ数を入力する操作入力部を更に備え、
前記設定部は、入力された前記折り丁ページ数を設定することを特徴とする請求項１８記載の画像形成装置。
【請求項２２】
前記媒体サイズ情報は、前記印刷媒体の長辺サイズ、短辺サイズ及び媒体厚サイズからなることを特徴とする請求項１８記載の画像形成装置。
【請求項２３】
各印刷媒体の種別を示す媒体種別情報に対応して、媒体サイズ情報を予め記憶する媒体情報記憶部と、
オペレータの操作に基づいて、媒体種別情報を入力する操作入力部と、
を更に備え、
前記サイズ取得部は、入力された前記媒体種別情報に基づいて、前記媒体情報記憶部から対応する媒体サイズ情報を取得する
ことを特徴とする請求項１８記載の画像形成装置。
【請求項２４】
各前記印刷媒体が載置される載置部を更に備え、
前記サイズ取得部は、前記載置部に載置された各前記印刷媒体の媒体サイズ情報を検出する検出部からなることを特徴とする請求項１８記載の画像形成装置。
【請求項２５】
前記検出部は、前記載置部に配設されるセンサからなることを特徴とする請求項２４記載の画像形成装置。
【請求項２６】
前記折り丁ページ数、前記媒体サイズ情報及び前記総ページ数と、各前記ページ番号とに基づいて、対応する印刷媒体の折り曲げ位置から印字領域までの長さを綴じ代値として導出する導出部を更に備え、
前記決定部は、導出された各前記綴じ代値に基づいて、前記ページ番号に対応する印字領域をそれぞれ決定し、
前記変換部は、決定された各前記印字領域に対応して、前記変換画像データへの変換動作を行い、
前記画像形成部は、前記変換画像データに基づいて、画像形成動作を行う
ことを特徴とする請求項１８記載の画像形成装置。
【請求項２７】
各前記印刷媒体の端部に設けられる余白領域の長さを余白長として予め記憶する余白長記憶部を更に備え、
前記決定部は、更に前記余白長に基づいて、前記印字領域を決定する
ことを特徴とする請求項２６記載の画像形成装置。
【請求項２８】
前記折り曲げ位置から綴じ位置までの長さを第一綴じ代値として、前記折り丁ページ数及び前記媒体サイズ情報と、各前記ページ番号とに基づいて、折り丁毎に該第一綴じ代値を導出する第一導出部と、
前記綴じ位置から印字領域までの長さを第二綴じ代値として、前記媒体サイズ情報及び前記総ページ数と、各前記ページ番号とに基づいて、該第二綴じ代値を導出する第二導出部と、
を更に備え、
前記導出部は、導出された前記第一綴じ代値及び前記第二綴じ代値の和を、前記ページ番号に対応する前記綴じ代値として導出する
ことを特徴とする請求項２６記載の画像形成装置。
【請求項２９】
前記第一導出部は、対応する折り丁の折り曲げ部分に基づいて、前記第一綴じ代値を導出することを特徴とする請求項２８記載の画像形成装置。
【請求項３０】
前記第二導出部は、折り丁冊子の折り曲げ部分に基づいて、前記第二綴じ代値を導出することを特徴とする請求項２８記載の画像形成装置。
【請求項３１】
前記折り曲げ位置から綴じ位置までの長さを第一綴じ代値として、前記折り丁ページ数及び前記媒体サイズ情報と、各前記ページ番号とに基づいて、折り丁毎に該第一綴じ代値を導出する第一導出部と、
導出された各前記第一綴じ代値に基づいて、対応する前記変換画像データに綴じ位置を示す綴じ位置画像データをそれぞれ付加して、付加変換画像データを生成する付加生成部と、
製本後の折り丁冊子のページ順となるべく、各前記付加変換画像データのページ順を入れ替えて、製本印刷データを生成する入替生成部と、
を更に備え、
前記画像形成部は、生成された前記製本印刷データに基づいて、画像形成動作を行う
ことを特徴とする請求項２６記載の画像処理装置
【請求項３２】
前記変換部は、対応する前記印字領域内に収まるべく、ページ単位の前記画像データを拡縮することを特徴とする請求項１８記載の画像形成装置。
【請求項３３】
各前記画像データのページサイズと、対応する前記印字領域の領域サイズとに基づいて、それぞれの拡縮率を算出する拡縮率算出部を更に備え、
前記変換部は、算出された各前記拡縮率に基づいて、対応する前記画像データの拡縮を行うことを特徴とする請求項３２記載の画像形成装置。
【請求項３４】
各前記画像データのページサイズと、対応する前記印字領域の領域サイズとに基づいて、それぞれの拡縮率を算出する拡縮率算出部と、
算出された各拡縮率のうち、最小となる最小拡縮率を選定する選定部と、
を更に備え、
前記変換部は、選定された前記最小拡縮率に基づいて、ページ単位の前記画像データの拡縮を行うことを特徴とする請求項３２記載の画像形成装置。
【発明の詳細な説明】
【技術分野】
【０００１】
本発明は、複数の折り丁を束ねて中綴じ製本するために、製本印刷データを生成する画像処理装置と、該製本印刷データに基づき画像を形成する画像形成装置とに関する。
【背景技術】
【０００２】
複数ページからなる原稿を折り曲げて作成される折り丁を中綴じ製本するために、原稿のページ順を入れ替えて製本印刷データを生成する画像処理装置や、製本印刷データに基づいて各印刷用紙に見開き印刷を行う画像形成装置が知られている。
【０００３】
このような画像処理装置や画像形成装置を利用して、折り丁の中綴じ製本を行った場合、各印刷用紙を折り曲げて重ね合わせた際に、内側のページと外側のページとの間に、折り曲げ部分による印刷位置のずれが発生するという問題があった。
【０００４】
上記した問題を解決すべく、下記特許文献１には、折り曲げ部分に設けられる綴じ代としての余白量が、外側のページほど多くなるように、各ページの余白量を自動的に調整可能な技術が開示されている。
【特許文献１】特開２００３−３０５９１５号公報
【発明の開示】
【発明が解決しようとする課題】
【０００５】
しかしながら、上記した従来の技術では、複数の折り丁を一つに束ねて中綴じ製本する場合、中間に位置する折り丁に画像欠けが発生する等、ページの見栄えが悪くなるという問題があった。
【０００６】
したがって、折り丁毎に綴じ代の調整が可能な画像処理装置及び画像形成装置が望まれていた。
【課題を解決するための手段】
【０００７】
本発明は、以上の点を解決するために、次の構成を採用する。
【０００８】
〈構成１〉
本発明に係る画像処理装置は、画像データを入力する画像入力部を備え、印刷媒体を折り曲げて作成される各折り丁を中綴じして、複数ページからなる折り丁冊子を製本するために、折り丁単位の折り丁ページ数を設定する設定部と、印刷媒体の媒体サイズ情報を取得するサイズ取得部と、入力された画像データにページ単位でページ番号をそれぞれ付与し、画像ページ数を取得する付与取得部と、折り丁ページ数と画像ページ数とに基づいて、折り丁冊子の総ページ数を算出するページ算出部と、折り丁ページ数と媒体サイズ情報と総ページ数とに基づいて、各ページ番号に対応する印字領域をそれぞれ決定する決定部と、画像データをページ単位で対応する前記ページ番号に対して決定された印字領域内の変換画像データにそれぞれ変換する変換部とを備えることを特徴とする。
【０００９】
〈構成２〉
本発明に係る画像形成装置は、画像データを入力する画像入力部を備え、印刷媒体を折り曲げて作成される各折り丁を中綴じして、複数ページからなる折り丁冊子を製本するために、折り丁単位の折り丁ページ数を設定する設定部と、印刷媒体の媒体サイズ情報を取得するサイズ取得部と、入力された画像データにページ単位でページ番号をそれぞれ付与し、画像ページ数を取得する付与取得部と、折り丁ページ数と画像ページ数とに基づいて、折り丁冊子の総ページ数を算出するページ算出部と、折り丁ページ数と媒体サイズ情報と総ページ数とに基づいて、各ページ番号に対応する印字領域をそれぞれ決定する決定部と、画像データをページ単位で対応する前記ページ番号に対して決定された印字領域内の変換画像データにそれぞれ変換する変換部と、変換された各変換画像データに基づいて、印刷媒体に現像剤を用いて画像を形成する画像形成部とを備えることを特徴とする。
【発明の効果】
【００１０】
本発明の画像処理装置及び画像形成装置によれば、折り丁ページ数及び総ページ数に基づいて、各ページの印字領域が決定されるので、複数の折り丁が中綴じ製本される場合も、綴じ代が適宜に調整され、画像欠け等の不具合の発生を防止できる。したがって、見栄えの良い折り丁冊子を製本可能となる。
【発明を実施するための最良の形態】
【００１１】
以下、本発明の実施形態を、図を用いて詳細に説明する。ここでは、本発明をデジタル複合機に適用した場合を例に、説明する。
【実施例１】
【００１２】
図２は、本発明に係るデジタル複合機の概略構成図であり、図３は、本発明に係るデジタル複合機の構成を具体的に示すブロック図である。
本実施例のデジタル複合機１０は、画像形成装置として、複数の折り丁を重ねて中綴じした折り丁冊子を製本するために、製本印刷データを生成して、該製本印刷データに基づき画像形成処理を実行し、冊子原稿を出力する。
【００１３】
デジタル複合機１０は、図２及び図３に示されるように、画像入力部としてのスキャナ１１と、画像形成部としてのプリンタ１２と、操作入力部としてのオペレーションパネル１３と、画像処理装置としての画像処理部１４とを備えている。
【００１４】
スキャナ１１は、読取原稿を載置するための原稿載置台と、複数枚の読取原稿を順に搬送可能な自動原稿搬送器と、画像読取部とを含んで構成され、読取原稿の画像を読み取って、デジタルデータである画像データを取得し、該画像データを画像処理部１４に出力する。
【００１５】
画像読取部には、本実施例では、原稿載置台に載置された読取原稿、或いは自動原稿搬送器により搬送された読取原稿の読取対象面に光を照射する光源と、読取原稿からの反射光を受光して画像信号を取得する受光素子と、受光素子により取得された画像信号に、Ａ／Ｄ変換等の信号処理を施して、デジタルデータである画像データを取得する信号処理部とが設けられる。
【００１６】
画像処理部１４は、画像処理装置として、図３に示されるように、バスを介して相互に接続される入力Ｉ／Ｆ１５、ＲＡＭ１６、ＲＯＭ１７、ＣＰＵ１８及び出力Ｉ／Ｆ１９を含んで構成される。
【００１７】
入力Ｉ／Ｆ１５は、スキャナ１１により取得された画像データが入力されるインタフェース部であり、該画像データをＲＡＭ１６に転送する。
【００１８】
ＲＡＭ（Ｒａｎｄｏｍ  Ａｃｃｅｓｓ  Ｍｅｍｏｒｙ）１６は、揮発性のメモリであり、一時的にデータを記憶する一時記憶部としての機能を有する。ＲＡＭ１６は、例えば、スキャナ１１により取得された画像データを記憶する。また、ＲＡＭ１６は、ＣＰＵ１８における各制御プログラムの実行過程において、作業領域として使用される。
【００１９】
ＲＯＭ（Ｒｅａｄ  Ｏｎｌｙ  Ｍｅｍｏｒｙ）１７は、不揮発性の読み込み専用メモリである。ＲＯＭ１７には、ＣＰＵ１８により実行される制御プログラムや固定的なデータ等が、予め記憶される。
【００２０】
ＣＰＵ（Ｃｅｎｔｒａｌ  Ｐｒｏｃｅｓｓｉｎｇ  Ｕｎｉｔ）１８は、デジタル複合機１０の統括制御を行う中央処理装置であり、ＲＡＭ１６を作業領域として、ＲＯＭ１７に記憶されている制御プログラムを実行する。
【００２１】
出力Ｉ／Ｆ１９は、出力部として、ＲＡＭ１６に記憶されている画像データを、プリンタ１２へ出力する。
【００２２】
プリンタ１２は、画像形成部として、画像処理部１４から画像データを受け取り、該画像データに基づき現像剤像としてのトナー像を形成し、印刷媒体としての用紙上に該トナー像を転写して定着させる。
【００２３】
オペレーションパネル１３は、操作入力部として、テンキーや選択キー、読取開始ボタン等と、液晶ディスプレイ及びタッチパネルとを有し、各種情報をオペレータに表示する機能や、各種情報をオペレータに選択させて入力する機能を有する。オペレータは、例えば、読取開始ボタンを押下して、画像の読み取り開始を選択する。また、オペレータは、オペレーションパネル１３を操作して、後述する折り丁ページ数や用紙サイズ値等の各種設定情報を選択する。
【００２４】
次に、本実施例のデジタル複合機１０の制御系統について、説明を行う。
図１は、本発明の実施例１に係るデジタル複合機の機能構成を示すブロック図である。
【００２５】
デジタル複合機１０は、図１に示されるように、画像入力部２０、画像形成部２１、操作入力部２２及び画像処理部１４を含んで構成される。
【００２６】
画像入力部２０は、スキャナ１１からなり、中綴じ製本するための複数枚の読取原稿から各画像を読み取って、それぞれの画像データを取得し、画像処理部１４に出力する。画像入力部２０は、本実施例では、ＲＧＢビットマップデータからなる画像データを取得する。
【００２７】
画像形成部２１は、プリンタ１２からなり、画像処理部１４から入力された製本印刷データの階調補正を行い、現像剤としての各色のトナーを用いて、印刷媒体としての各用紙上に画像を形成する。本実施例のデジタル複合機１０では、画像形成部２１は、各用紙の表裏両面の左右に、それぞれのページの画像を形成して、折り丁冊子のための冊子原稿を出力する。
【００２８】
操作入力部２２は、オペレーションパネル１３からなり、オペレータの操作に基づいて、各種情報を入力する。
【００２９】
例えば、操作入力部２２は、折り丁毎のページ数、即ち折り丁ページ数Ｐを入力する。本実施例では、画像形成部２１は、上記したように、各用紙に４ページ分の画像を形成する。したがって、操作入力部２２は、折り丁ページ数Ｐ＝４ｉ（ｉ＝１、２、・・・）を入力する。
【００３０】
また、操作入力部２２は、製本印刷に使用する用紙の用紙サイズを示す媒体サイズ情報としての用紙サイズ値を入力する。
【００３１】
図４は、用紙サイズを説明する図である。
操作入力部２２は、用紙の長辺サイズを示す用紙長辺値ｘと、短辺サイズを示す用紙短辺値ｙと、用紙厚サイズを示す用紙厚値ｔとを入力する。
【００３２】
画像処理部１４は、図１に示されるように、付与取得部２３、画像記憶部２４、設定部２５、ページ算出部２６、サイズ取得部２７、設定値記憶部２８、綴じ代導出部２９、決定部３０、拡縮率算出部３１、変換部３２、入替生成部３３及び出力部３４を含んで構成される。
【００３３】
付与取得部２３は、画像入力部２０から入力された各画像データに、ページ番号ｎ（ｎ＝１、２、・・・）を入力順に付与し、該ページ番号ｎに対応させて、画像データを画像記憶部２４に記憶させる。また、付与取得部２３は、画像データの総ページ数、即ち画像ページ数Ｍを取得する。更に、付与取得部２３は、各画像データのページサイズを、ページサイズ値として、画像の長辺サイズを示すページ長辺値Ｘと、短辺サイズを示すページ短辺値Ｙとを取得し、画像記憶部２４に記憶させる。
【００３４】
画像記憶部２４は、ＲＡＭ１６からなり、読取原稿の各画像データを、ページ番号ｎに対応させて記憶する。画像記憶部２４は、更に、各ページ番号ｎに対応して、ページ長辺値Ｘ及びページ短辺値Ｙからなるページサイズ値を記憶する。
【００３５】
設定部２５は、操作入力部２２から入力された折り丁ページ数Ｐを、設定値記憶部２８に設定する。
【００３６】
ページ算出部２６は、設定値記憶部２８に設定された折り丁ページ数Ｐと、付与取得部２３により取得された画像ページ数Ｍとに基づいて、折り丁冊子に含まれる折り丁ページ数Ｐ単位の組数である折り丁数Ｋを、計算式Ｋ＝ｃｅｉｌｉｎｇ（Ｍ／Ｐ）に基づき算出する。ここで、関数ｃｅｉｌｉｎｇ（Ｘ）は、実数Ｘに対してＸ以上となる最小の整数として定義される天井関数である。
【００３７】
また、ページ算出部２６は、折り丁冊子の総ページ数Ｎを、計算式Ｎ＝Ｋ×Ｐに基づき算出する。
【００３８】
サイズ取得部２７は、操作入力部２２から入力された用紙サイズ値を取得して、設定値記憶部２８に記憶させる。サイズ取得部２７は、用紙サイズ値として、用紙長辺値ｘ、用紙短辺値ｙ及び用紙厚値ｔを取得して、設定値記憶部２８に設定する。なお、サイズ取得部２７は、製本印刷に使用される用紙から用紙サイズ値を検出して取得することも可能である。この場合、サイズ取得部２７は、例えば、用紙が載置される載置部に設けられるセンサからなる。
【００３９】
設定値記憶部２８は、ＲＡＭ１６からなり、設定部２５により設定された折り丁ページ数Ｐや、ページ算出部２６により算出された折り丁数Ｋ及び総ページ数Ｎ、サイズ取得部２７により取得された用紙長辺値ｘ、用紙短辺値ｙ及び用紙厚値ｔ等を記憶する。
【００４０】
綴じ代導出部２９は、図１に示されるように、第一導出部３５、第二導出部３６及び加算部３７を有し、導出部として、各ページ番号ｎに対応して綴じ代値Ｌ（ｎ）を導出する。ここで、綴じ代値Ｌ（ｎ）は、ページ番号ｎに対応するページの折り曲げ位置から、該ページの印字領域方向に設けられる余白領域の長さを表す。
【００４１】
第一導出部３５は、ページ番号ｎに対応するページの折り曲げ位置から綴じ位置までの長さを、第一綴じ代値Ｌ１（ｎ）として導出する。本実施例では、印刷された冊子原稿は、各用紙の長辺方向の中心となる中心線で折り曲げられ、折り丁毎に重ねられた後、所定の綴じ位置においてステープルにより綴じられて、折り丁冊子に製本される。第一導出部３５は、各ページ番号ｎに対応するページの折り曲げ位置から綴じ位置までに設けられる余白領域の長さを、第一綴じ代値Ｌ１（ｎ）として導出する。
【００４２】
第二導出部３６は、ページ番号ｎに対応するページの綴じ位置から、該ページの印字領域までに設けられる余白領域の長さを、第二綴じ代値Ｌ２（ｎ）として導出する。
【００４３】
加算部３７は、第一綴じ代値Ｌ１（ｎ）と第二綴じ代値Ｌ２（ｎ）とを加算して、綴じ代値Ｌ（ｎ）＝Ｌ１（ｎ）＋Ｌ２（ｎ）を導出する。
【００４４】
決定部３０は、設定値記憶部２８に設定された用紙長辺値ｘ及び用紙短辺値ｙと、綴じ代導出部２９により導出された綴じ代値Ｌ（ｎ）とに基づいて、印字領域Ａ（ｎ）をページ毎に決定する。
【００４５】
拡縮率算出部３１は、ページ番号ｎに対応する印字領域Ａ（ｎ）の領域長辺値Ａｘ（ｎ）及び領域短辺値Ａｙ（ｎ）と、対応する画像データのページ長辺値Ｘ及びページ短辺値Ｙとに基づいて、画像データの拡縮率Ｒ（ｎ）を算出する。拡縮率算出部３１は、長辺拡縮率Ｒｘ（ｎ）＝Ａｘ（ｎ）／Ｘと、短辺拡縮率Ｒｙ（ｎ）＝Ａｙ（ｎ）／Ｙとを算出して、これらを比較し、小さい方をページ番号ｎに対応する拡縮率Ｒ（ｎ）とする。
【００４６】
変換部３２は、算出された拡縮率Ｒ（ｎ）に基づいて、画像データの拡縮を行って、変換画像データを生成する。
【００４７】
入替生成部３３は、各ページ番号ｎに対応する変換画像データのページ順を、印刷順に入れ替えて、製本印刷データを生成する。
【００４８】
出力部３４は、出力Ｉ／Ｆ１９（図３）からなり、入替生成部３３により生成された製本印刷データを、画像形成部２１へ出力する。
【００４９】
また、デジタル複合機１０は、上記した各部を制御する制御部（不図示）を備えている。
【００５０】
次に、本実施例のデジタル複合機１０の動作について、説明する。
【００５１】
図５は、中綴じ製本を説明する図である。
本実施例のデジタル複合機１０では、例えば折り丁ページ数Ｐ＝１２が設定される場合、用紙の表裏両面左右に４ページ分の画像が形成された３枚の冊子原稿を折り曲げて、図５（ａ）に示されるように、各折り丁が作成される。３つの折り丁３８−１、３８−２、３８−３を中綴じ製本して作成された折り丁冊子３９を、図５（ｂ）に示す。各折り丁３８−１、３８−２、３８−３は、所定の綴じ位置でステープルにより束ねられ、折り丁冊子３９に製本される。
【００５２】
ここでは、複数枚の読取原稿を読み取って、折り丁冊子のための冊子原稿を生成して出力する流れについて、図６及び図７に示すフローチャートに沿って説明する。
図６は、本発明の実施例１に係るデジタル複合機の冊子原稿生成動作を示すフローチャート（その１）であり、図７は、本発明の実施例１に係るデジタル複合機の冊子原稿生成動作を示すフローチャート（その２）である。
【００５３】
以下に、ページ長辺値Ｘ及びページ短辺値Ｙを有する３３枚の読取原稿が読み取られ、折り丁ページ数Ｐ＝１２と、用紙長辺値ｘ、用紙短辺値ｙ及び用紙厚値ｔとが設定される場合を例に、説明を行う。このとき、折り丁冊子を構成する各折り丁は、３枚の用紙上に画像が形成された冊子原稿を折りたたんで作成される。
【００５４】
デジタル複合機１０において、オペレーションパネル１３の読取開始ボタンが押下されると、操作入力部２２が読取原稿の読取開始要求を入力する。この読取開始要求に基づいて、図示せぬ制御部が、画像入力部２０に読取原稿の読取開始を指示する。
【００５５】
そして、画像入力部２０が、まず、１枚目の読取原稿の画像を読み取って、画像データを取得して入力する（ステップＳ１０１）。
【００５６】
画像入力部２０から画像処理部１４に画像データが入力されると、付与取得部２３が、入力された画像データにページ番号ｎ＝１を付与し、該画像データをページ番号ｎ＝１と共に、画像記憶部２４に記憶させる（ステップＳ１０２）。画像記憶部２４には、ページ番号ｎ＝１に対応して、１枚目の読取原稿の画像データが記憶される。
【００５７】
また、付与取得部２３は、該画像データのページサイズ値を取得する。付与取得部２３は、ページ長辺値Ｘ及びページ短辺値Ｙを取得して、画像記憶部２４に記憶させる。
【００５８】
続いて、画像入力部２０は、次ページ分の読取原稿の有無を判断する（ステップＳ１０３）。次ページ分の読取原稿が有る場合（ステップＳ１０３）、画像入力部２０は、該読取原稿の画像を読み取って、画像データを取得して入力する（ステップＳ１０１）。
【００５９】
そして、付与取得部２３が、該画像データにページ番号ｎを付与して、画像記憶部２４に記憶させる（ステップＳ１０２）。
【００６０】
ページ番号ｎ＝３３に対応する読取原稿の画像データが取得され（ステップＳ１０１）、画像記憶部２４に記憶される（ステップＳ１０２）と、画像入力部２０は、次ページ分の読取原稿が無いと判断し（ステップＳ１０３）、読取完了を画像処理部１４及び制御部に通知する。付与取得部２３は、画像ページ数Ｍ＝３３を取得して、設定値記憶部２８に記憶させる（ステップＳ１０４）。
【００６１】
画像入力部２０から読取完了を通知されると、制御部は、オペレーションパネル１３を制御して、折り丁ページ数Ｐを設定するための折り丁設定画面を、液晶パネルに表示させる。
【００６２】
オペレータが、オペレーションパネル１３を操作して、折り丁ページ数Ｐを選択すると、操作入力部２２が該折り丁ページ数Ｐを入力し、設定部２５が、入力された折り丁ページ数Ｐを設定値記憶部２８に設定する（ステップＳ１０５）。設定部２５は、オペレータの選択に基づき、折り丁ページ数Ｐ＝１２を設定する。
【００６３】
次に、ページ算出部２６が、設定値記憶部２８から画像ページ数Ｍ及び折り丁ページ数Ｐを読み出して、折り丁数Ｋ＝ｃｅｉｌｉｎｇ（Ｍ／Ｐ）を算出する（ステップＳ１０６）。ページ算出部２６は、画像ページ数Ｍ＝３３及び折り丁ページ数Ｐ＝１２に基づいて、折り丁数Ｋ＝３を算出し、設定値記憶部２８に設定する。
【００６４】
また、ページ算出部２６は、算出された折り丁数Ｋと、読み出された折り丁ページ数Ｐとに基づいて、総ページ数Ｎ＝Ｋ×Ｐを算出する（ステップＳ１０６）。ページ算出部２６は、総ページ数Ｎ＝３６を算出し、設定値記憶部２８に設定する。これは、製本後の折り丁冊子の総ページ数が３６ページであることを意味する。読取原稿の画像ページ数は、Ｍ＝３３であるので、デジタル複合機１０は、冊子原稿の３４〜３６ページに、白紙ページを追加することとなる。
【００６５】
ページ算出部２６から設定完了を通知されると、制御部は、更に、オペレーションパネル１３に、用紙サイズ値を入力するための用紙サイズ値入力画面を表示させる。
【００６６】
オペレータが、オペレーションパネル１３を操作して、用紙サイズ値として、用紙長辺値ｘ、用紙短辺値ｙ及び用紙厚値ｔを選択すると、操作入力部２２がこれらを入力する。そして、サイズ取得部２７が、入力された用紙長辺値ｘ、用紙短辺値ｙ及び用紙厚値ｔを取得して、設定値記憶部２８に設定する（ステップＳ１０７）。
【００６７】
次に、綴じ代導出部２９が、綴じ代値の導出を行う（ステップＳ１０８）。綴じ代導出部２９は、ページ毎に異なる綴じ代値を導出する。
【００６８】
図８は、折り丁冊子の綴じ代を説明する図である。
図８（ａ）は、３つの折り丁３８−１、３８−２、３８−３からなる折り丁冊子３９が数ページめくられた様子を示す斜視図であり、図８（ｂ）は、図８（ａ）の折り丁冊子３９側面の部分拡大図である。
【００６９】
ページ番号ｎに対応する綴じ代値Ｌ（ｎ）は、図８（ｂ）に示されるように、当該ページが折り丁３８−ｋ（ｋ＝１、２、３）の何ページ目であるかにより決まる第一綴じ代値Ｌ１（ｎ）と、当該ページが折り丁冊子３９全体の何ページ目であるかにより決まる第二綴じ代値Ｌ２（ｎ）との和からなる。綴じ代導出部２９は、各ページ番号ｎに対応する綴じ代値Ｌ（ｎ）＝Ｌ１（ｎ）＋Ｌ２（ｎ）を導出する。
【００７０】
この綴じ代導出部２９による綴じ代値導出処理の詳細について、図９に示すフローチャートに沿って、説明する。
図９は、本発明に係るデジタル複合機の綴じ代値導出動作を示すフローチャートである。
【００７１】
ここでは、ページ番号ｎに対応する綴じ代値Ｌ（ｎ）を導出する流れについて、説明する。
【００７２】
まず、第一導出部３５が、第一綴じ代値Ｌ１（ｎ）を導出する（ステップＳ２０１）。
【００７３】
図８（ｂ）に示されるように、第一綴じ代値Ｌ１（ｎ）は、ページ番号ｎに対応するページの折り曲げ位置、即ち、同一の折り丁に含まれる各用紙の折り曲げ位置を結ぶ中心線４０から、折り丁冊子３９を綴じる綴じ位置４１までの長さに相当する。綴じ位置４１は、各折り丁３８−１、３８−２、３８−３において、最も内側に綴じられる用紙の内側ページにおける折り曲げ位置４０Ａ−１、４０Ａ−２、４０Ａ−３を含む折り丁中心線４２から、所定の間隔Ｌ０の位置にある。
なお、本実施例では、間隔Ｌ０には、予め定められた所定値が用いられるが、オペレータがオペレーションパネル１３を操作して指定した値を用いても良い。
【００７４】
ページ番号ｎに対応するページが含まれる折り丁３８−ｋ（ｋ＝１、２、３）の折り丁番号をｋとすると、この折り丁番号ｋは、計算式ｋ＝ｃｅｉｌｉｎｇ（ｎ／Ｐ）に基づき算出される。
【００７５】
第一導出部３５は、このページ番号ｎに対応するページの第一綴じ代値Ｌ１（ｎ）を、以下に示す式（１−１）〜式（１−４）に基づき算出する（ステップＳ２０１）。
【数１】
2010082945.tif 000003
第一導出部３５は、ページ番号ｎ及び折り丁番号ｋと、設定値記憶部２８に設定されている折り丁ページ数Ｐ及び用紙厚値ｔとに基づいて、第一綴じ代値Ｌ１（ｎ）を算出する。
【００７６】
ここで、上記した式（１−１）〜式（１−４）の導出手順の概略を、以下に示す。
【００７７】
折り丁番号ｋ及びページ番号ｎに対応するページの折り丁３８−ｋにおけるページ番号、即ち折り丁ページ番号をｎ´と定義する。また、各ページに対して、折り曲げ位置から折り丁中心線４２までの折れ曲がり部分の長さをＬ１´と表すと、第一綴じ代値Ｌ１は、Ｌ１＝Ｌ０＋Ｌ１´と表される。
【００７８】
折り丁番号ｋ及び折り丁ページ番号ｎ´に対応するページが、折り丁３８−ｋの前半部分に含まれる場合、折り丁ページ番号ｎ´は、１≦ｎ´≦Ｐ／２を満たす。この条件式を満たす各ページに対して、折り曲げ位置から折り丁中心線４２までの折れ曲がり部分を、折り丁３８−ｋの折り曲げ位置４０Ａ−ｋを中心とする円弧に近似すると、該折れ曲がり部分の長さＬ１´は、折り丁ページ番号ｎ´を用いて、以下に示す式（２−１）及び式（２−２）で表される。
【数２】
2010082945.tif 000004
【００７９】
同様に、折り丁番号ｋ及び折り丁ページ番号ｎ´に対応するページが、折り丁３８−ｋの後半部分に含まれる場合、折り丁ページ番号ｎ´は、Ｐ／２＋１≦ｎ´≦Ｐを満たす。この条件式を満たす各ページに対して、折り曲げ位置から折り丁中心線４２までの折れ曲がり部分を、折り丁３８−ｋの折り曲げ位置４０Ａ−ｋを中心とする円弧に近似すると、該折れ曲がり部分の長さＬ１´は、折り丁ページ番号ｎ´を用いて、式（２−３）及び式（２−４）で表される。
【数３】
2010082945.tif 000005
【００８０】
折り丁ページ番号ｎ´は、ページ番号ｎ、折り丁番号ｋ及び折り丁ページ数Ｐを用いて、ｎ´＝ｎ−（ｋ−１）×Ｐと表される。この関係式を上記した各式（２−１）〜式（２−４）に代入すると共に、Ｌ０を加算することにより、Ｌ１（ｎ）に対する式（１−１）〜式（１−４）が導出される。
【００８１】
次に、第二導出部３６が、ページ番号ｎに対応するページの第二綴じ代値Ｌ２（ｎ）を導出する（ステップＳ２０２）。
【００８２】
図８（ｂ）に示されるように、第二綴じ代値Ｌ２（ｎ）は、ページ番号ｎに対応するページの綴じ位置から、印字領域までに設けられる余白領域の長さに相当する。本実施例では、見栄えの良い折り丁冊子を作るべく、各ページを開いた際の折れ曲がり部分や、折れ曲がり部分が重なることにより隠れる部分が、それぞれ余白領域となるように、綴じ代が設定される。
【００８３】
第二導出部３６は、ページ番号ｎに対応する第二綴じ代値Ｌ２（ｎ）を、以下に示す式（３−１）〜式（３−４）に基づき算出する（ステップＳ２０２）。
【数４】
2010082945.tif 000006
第二導出部３６は、ページ番号ｎと、設定値記憶部２８に記憶されている総ページ数Ｎ及び用紙厚値ｔとに基づいて、第二綴じ代値Ｌ２（ｎ）を算出する。
【００８４】
ここで、上記した各式（３−１）〜式（３−４）の導出手順の概略を、以下に示す。
【００８５】
ページ番号ｎに対応するページが、折り丁冊子の前半部分に含まれる場合、ページ番号ｎは、１≦ｎ≦Ｎ／２を満たす。このｎが偶数である場合、図８（ｂ）に示されるように、該ページの第二綴じ代値Ｌ２（ｎ）に対応する折れ曲がり部分を、ページ番号ｎ＝１のページの綴じ位置４３を中心とする半円周分の円弧に近似して、式（３−２）が導出される。また、ｎが奇数である場合、図８（ｂ）に示されるように、該ページの第二綴じ代値Ｌ２（ｎ）は、ページ番号ｎ−１の第二綴じ代値Ｌ２（ｎ−１）に対応する円弧の半径の長さとなり、式（３−１）が導出される。ページ番号ｎに対応するページが、折り丁冊子の後半部分に含まれる場合も、同様に、式（３−３）及び式（３−４）が導出される。
【００８６】
続いて、加算部３７が、第一綴じ代値Ｌ１（ｎ）と第二綴じ代値Ｌ２（ｎ）とを加算して、ページ番号ｎに対応する綴じ代値Ｌ（ｎ）＝Ｌ１（ｎ）＋Ｌ２（ｎ）を算出する（ステップＳ２０３）。これにより、綴じ代導出部２９によるページ番号ｎに対応する綴じ代値の導出処理が終了する。
【００８７】
上記のように、各ページ番号ｎに対応して、第一綴じ代値Ｌ１（ｎ）及び第二綴じ代値Ｌ２（ｎ）が導出され、これらを加算して、綴じ代値Ｌ（ｎ）が導出される。
【００８８】
図６及び図７のフローチャートに戻って、綴じ代導出部２９により綴じ代値Ｌ（ｎ）が導出される（ステップＳ１０８）と、決定部３０が、導出された綴じ代値Ｌ（ｎ）と、設定値記憶部２８に設定されている用紙サイズ値とに基づいて、ページ番号ｎに対応する印字領域Ａ（ｎ）を決定する（ステップＳ１０９）。以下に、印字領域Ａ（ｎ）を決定する流れについて、説明する。
【００８９】
図１０は、印字領域の決定例を示す図である。
図１０（ａ）に示される用紙は、左側がページ番号ｎのページに対応し、右側がページ番号ｎ´のページに対応している。各ページに対して導出された綴じ代値を、それぞれ、Ｌ（ｎ）及びＬ（ｎ´）とする。
【００９０】
決定部３０は、設定値記憶部２８から用紙長辺値ｘ及び用紙短辺値ｙを読み出す。用紙長辺値ｘ及び用紙短辺値ｙを、それぞれ、図１０（ａ）に示す。
【００９１】
この用紙を、長辺方向の中心線４４で折り曲げて中綴じする場合、各ページのサイズは、図１０（ａ）に示されるように、長辺値が用紙短辺値ｙに等しくなり、短辺値が用紙長辺値の半分、即ちｘ／２となる。
【００９２】
決定部３０は、ページ番号ｎに対応するページの印字領域として、綴じ代部分４５−ｎを除く矩形領域Ａ（ｎ）を決定する。決定部３０は、該印字領域Ａ（ｎ）の領域長辺値Ａｘ（ｎ）を用紙長辺値ｙとし、領域短辺値Ａｙ（ｎ）を、用地長辺値ｘの半分、即ちｘ／２から、綴じ代値Ｌ（ｎ）を減じた値とする。即ち、決定部３０は、計算式Ａｘ（ｎ）＝ｙ及びＡｙ（ｎ）＝ｘ／２−Ｌ（ｎ）に基づき、領域長辺値Ａｘ（ｎ）及び領域短辺値Ａｙ（ｎ）算出し、算出された領域長辺値Ａｘ（ｎ）及び領域短辺値Ａｙ（ｎ）を、設定値記憶部２８に記憶させる。
ページ番号ｎ´に対する印字領域Ａ（ｎ´）も、同様に、綴じ代部分４５−ｎ´を除く矩形領域として決定される。
【００９３】
続いて、決定部３０は、設定値記憶部２８から画像ページ数Ｍを読み出して、該画像ページ数Ｍとページ番号ｎとを比較する（ステップＳ１１０）。ページ番号ｎが画像ページ数Ｍより小さい、即ちｎ＜Ｍである場合、決定部３０は、未処理のページ有りと判断する。そして、綴じ代導出部２９が、ページ番号ｎ＋１に対応する綴じ代値Ｌ（ｎ＋１）を導出する（ステップＳ１０８）。
【００９４】
ステップＳ１１０において、ページ番号ｎが画像ページ数Ｍに等しい、即ちｎ＝Ｍである場合、決定部３０は、未処理のページが無い、即ち各ページ番号ｎに対応する印字領域Ａ（ｎ）が決定済であると判断し、拡縮率算出部３１に算出指示を行う。
【００９５】
拡縮率算出部３１は、各ページ番号ｎに対応する拡縮率Ｒ（ｎ）を算出する。そして、変換部３２が、該拡縮率Ｒ（ｎ）に基づいて、各ページの画像を拡縮し、変換画像データを生成する（ステップＳ１１１）。拡縮率Ｒ（ｎ）の算出及び変換画像データの生成は、以下のように行われる。
【００９６】
拡縮率算出部３１は、画像記憶部２４からページサイズ値としてのページ長辺値Ｘ及びページ短辺値Ｙを読み出すと共に、設定値記憶部２８からページ番号ｎに対応する領域長辺値Ａｘ（ｎ）及び領域短辺値Ａｙ（ｎ）を読み出す。そして、拡縮率算出部３１は、読み出された各数値に基づいて、長辺拡縮率Ｒｘ（ｎ）＝Ａｘ（ｎ）／Ｘと、短辺拡縮率Ｒｙ（ｎ）＝Ａｙ（ｎ）／Ｙとを算出する。続いて、拡縮率算出部３１は、算出された長辺拡縮率Ｒｘ（ｎ）及び短辺拡縮率Ｒｙ（ｎ）を比較して、値が小さい方を、ページ番号ｎに対応する拡縮率Ｒ（ｎ）として選定し、変換部３２に通知する。
【００９７】
例えば、図１０（ａ）に示されるページ番号ｎに対応するページでは、Ｒｘ（ｎ）＞Ｒｙ（ｎ）となり、拡縮率算出部３１は、Ｒ（ｎ）＝Ｒｙ（ｎ）＝｛ｘ／２−Ｌ（ｎ）｝／Ｙを拡縮率として選定し、通知する。
【００９８】
変換部３２は、拡縮率Ｒ（ｎ）を通知されると、画像記憶部２４からページ番号ｎに対応する画像データを読み出して、該画像データを拡縮率Ｒ（ｎ）に基づき拡縮し、変換画像データを生成する。
【００９９】
このとき、ページ番号ｎに対応する変換画像データは、領域短辺値Ａｙ（ｎ）に合わせて拡縮される。したがって、変換画像データのページサイズは、図１０（ａ）に示されるように、印字領域Ａ（ｎ）内に収まる領域４６−ｎのサイズとなる。また、ページ番号ｎ´に対応する変換画像データは、領域短辺値Ａｙ（ｎ´）に合わせて拡縮され、変換画像データのページサイズは、領域４６−ｎ´のサイズとなる。
【０１００】
上記のように、各ページ番号ｎに対応する変換画像データが生成される（ステップＳ１１１）と、入替生成部３３が、各ページ番号ｎ（ｎ＝１、２、・・・、３３）に対応する変換画像データのページ順を、印刷順に入れ替えて、製本印刷データを生成する（ステップＳ１１２）。入替生成部３３は、中綴じ製本後の冊子原稿が、ページ番号ｎの順となるように、各用紙へのページの配置を行う。
【０１０１】
図１１は、折り丁冊子における各ページの配置例を示す図である。
図１１は、折り丁ページ数Ｐ＝１２及び総ページ数Ｎ＝３６の場合に対応し、各折り丁３８−１、３８−２、３８−３を構成する３枚の用紙の表裏両面におけるページ配置例が示されている。
【０１０２】
例えば、折り丁３８−１の１枚目の用紙４７−１には、図１１に示されるように、表面の左側にページ番号ｎ＝２に対応するページが配置され、右側にページ番号ｎ＝１１に対応するページが配置される。また、該用紙４７−１の裏側には、ページ番号ｎ＝１に対応するページが、ページ番号ｎ＝２の裏側に、ページ番号ｎ＝１２に対応するページが、ページ番号ｎ＝１１の裏側に、それぞれ配置される。
【０１０３】
なお、この読取原稿の画像ページ数は、Ｍ＝３３であるため、ページ番号ｎ＝３４、３５、３６に対応する部分には、白紙ページが配置される。
【０１０４】
上記のように、入替生成部３３は、各ページの配置を行う。このとき、入替生成部は、各ページ番号ｎに対応する変換画像データの画像中心位置が、印字領域Ａ（ｎ）の中心に一致するように、ページ配置を行う。
【０１０５】
例えば、図１０（ａ）では、ページ番号ｎの変換画像データに対応する領域４６−ｎは、該領域の短辺方向の中心線が、印字領域Ａ（ｎ）の短辺方向の中心線に一致し、且つ、長辺方向の両端に同量の余白を持つように、配置されている。
【０１０６】
入替生成部３３は、上記のように、各ページの配置を行って、９枚の用紙の表裏両面に対応する画像データを、製本印刷データとして生成する（ステップＳ１１２）。
【０１０７】
そして、出力部３４が、製本印刷データを、画像形成部２１へ出力する。
【０１０８】
画像処理部１４から製本印刷データが入力されると、画像形成部２１は、該製本印刷データに基づいて、各用紙の表裏両面に画像を形成し、冊子原稿を出力する（ステップＳ１１３）。画像形成部２１は、製本印刷データのトナー像を形成し、各用紙上に順次転写して、９枚の印刷済用紙からなる冊子原稿を生成する。これにより、デジタル複合機１０による冊子原稿生成処理が終了する。
【０１０９】
上記のように、複数の折り丁からなる折り丁冊子の冊子原稿が生成される。
【０１１０】
以上のように、本実施例のデジタル複合機は、折り丁毎に決まる第一綴じ代値と、折り丁冊子の総ページ数により決まる第二綴じ代値とを導出し、これらを加算して、ページ毎の綴じ代値を導出するので、折り丁毎に綴じ代を調整して、各ページの印字領域を決定可能となる。したがって、複数の折り丁が中綴じ製本される場合も、見栄えの良い折り丁冊子の製本が可能となる。
【０１１１】
なお、本実施例では、拡縮率算出部３１は、各ページ番号ｎに対応して、拡縮率Ｒ（ｎ）の選定を行い、変換部３２は、該拡縮率Ｒ（ｎ）に基づいて、変換画像データを生成するが、本発明はこれに限定されない。例えば、全てのページに共通の拡縮率Ｒを選定し、該拡縮率Ｒに基づいて、変換画像データを生成することも可能である。
【０１１２】
図１０（ｂ）は、左側のページに対して算出された拡縮率Ｒ（ｎ）が、全ページ共通の拡縮率Ｒとして選定される場合を示す。
【０１１３】
この場合、拡縮率算出部３１は、各ページ番号ｎに対応して算出された拡縮率Ｒ（ｎ）を比較して、最小となる拡縮率を、全ページ共通の拡縮率Ｒとして選定する。或いは、綴じ代値Ｌ（ｎ）を比較して、最大となる綴じ代値Ｌ（ｎ）に対応する拡縮率Ｒ（ｎ）を、共通の拡縮率Ｒとして算出しても良い。このように、全ページ共通の拡縮率を選定することにより、各ページの画像サイズを揃えることが可能となり、更に見栄えの良い折り丁冊子の製本が可能となる。
【０１１４】
また、本実施例では、決定部３０は、各ページの綴じ代部分を除く領域全体を、該ページの印字領域としたが、本発明はこれに限定されない。例えば、用紙の端部に余白領域を設けることも可能である。この場合、余白領域の長さを余白長として予め記憶する余白長記憶部を新たに設け、決定部３０は、記憶されている余白長と、導出された綴じ代値とに基づいて、印字領域の決定を行う。
【実施例２】
【０１１５】
図１２は、本発明の実施例２に係るデジタル複合機の機能構成を示すブロック図である。
本実施例のデジタル複合機５０は、画像処理部５１に付加生成部５２が追加されると共に、綴じ代導出部５３に綴じ位置記憶部５４が追加される構成が、実施例１とは異なる。
なお、本実施例において、実施例１と同一の構成については同一の符号で示し、これらについての詳しい説明を省略する。
【０１１６】
デジタル複合機５０は、図１２に示されるように、画像入力部２０、画像形成部２１、操作入力部２２及び画像処理部５１を含んで構成される。
【０１１７】
画像処理部５１は、図１２に示されるように、付与取得部２３、画像記憶部２４、設定部２５、ページ算出部２６、サイズ取得部２７、設定値記憶部２８、綴じ代導出部５３、決定部３０、拡縮率算出部３１、変換部３２、付加生成部５２、入替生成部５５及び出力部３４を備えている。
【０１１８】
綴じ代導出部５３は、第一導出部３５、第二導出部３６、加算部３７及び綴じ位置記憶部５４を有し、導出部として、各ページ番号ｎに対応する綴じ代値Ｌ（ｎ）を導出する。
【０１１９】
綴じ位置記憶部５４は、第一導出部３５により導出された第一綴じ代値Ｌ１（ｎ）を、ページ番号ｎに対応して記憶する記憶部である。
【０１２０】
付加生成部５２は、綴じ位置記憶部５４に記憶されている第一綴じ代値Ｌ１（ｎ）に基づいて、各用紙に綴じ位置を示す綴じ位置表示ライン或いは綴じ位置表示マークを付加するための綴じ位置画像データを、それぞれのページ番号ｎに対応して生成する。
【０１２１】
また、付加生成部５２は、各ページ番号ｎに対応する変換画像データ及び綴じ位置画像データを合成して、綴じ位置表示ライン或いは綴じ位置表示マークが付加された付加変換画像データを生成する。
【０１２２】
入替生成部５５は、各ページ番号ｎに対応する付加変換画像データのページ順を、印刷順に入れ替えて、製本印刷データを生成する。
【０１２３】
次に、本実施例のデジタル複合機５０の動作について、説明する。
【０１２４】
ここでは、複数枚の読取原稿を読み取って、折り丁冊子のための冊子原稿を生成して出力する流れについて、図１３及び図１４に示すフローチャートに沿って説明する。
図１３は、本発明の実施例２に係るデジタル複合機の冊子原稿生成動作を示すフローチャート（その１）であり、図１４は、本発明の実施例２に係るデジタル複合機の冊子原稿生成動作を示すフローチャート（その２）である。
【０１２５】
デジタル複合機５０において、画像入力部２０は、読取原稿の画像を１枚ずつ順に読み取って、画像データを取得して入力する（ステップＳ１０１）。
【０１２６】
画像処理部１４に画像データが入力されると、付与取得部２３が、該画像データにページ番号ｎを付与すると共に、該画像データのページサイズ値を取得し、これらを画像記憶部２４に記憶させる（ステップＳ１０２）。
【０１２７】
そして、画像入力部２０が、次ページ分の読取原稿の有無を判断し（ステップＳ１０３）、有ると判断すると、該読取原稿の画像データを取得して入力する（ステップＳ１０１）。
【０１２８】
次ページ分の読取原稿が無いと判断される（ステップＳ１０３）と、付与取得部２３が、画像ページ数Ｍを取得して、該画像ページ数Ｍを設定値記憶部２８に設定する（ステップＳ１０４）。
【０１２９】
続いて、オペレーションパネル１３が、折り丁設定画面を表示する。そして、操作入力部２２が、オペレータの操作に基づいて、折り丁ページ数Ｐを入力し、設定部２５が折り丁ページ数Ｐを設定値記憶部２８に設定する（ステップＳ１０５）。
【０１３０】
続いて、ページ算出部２６が、設定値記憶部２８から画像ページ数Ｍ及び折り丁ページ数Ｐを読み出して、折り丁数Ｋ＝ｃｅｉｌｉｎｇ（Ｍ／Ｐ）を算出する（ステップＳ１０６）。
【０１３１】
また、ページ算出部２６は、折り丁数Ｋ及び折り丁ページ数Ｐに基づいて、総ページ数Ｎ＝Ｋ×Ｐを算出し、該総ページ数Ｎを設定値記憶部２８に設定する（ステップＳ１０６）。
【０１３２】
次に、オペレーションパネル１３が、用紙サイズ値入力画面を表示する。そして、操作入力部２２が、オペレータの操作に基づいて、用紙サイズ値を入力する。続いて、サイズ取得部２７が、入力された用紙サイズ値を取得して、設定値記憶部２８に設定する（ステップＳ１０７）。
【０１３３】
次に、綴じ代導出部５３が、綴じ代値の導出を行う（ステップＳ３０１）。以下に、ページ番号ｎに対応する綴じ代値Ｌ（ｎ）を導出する流れについて、簡単に説明する。
図１５は、本発明の実施例２に係るデジタル複合機の綴じ代値導出動作を示すフローチャートである。
【０１３４】
まず、第一導出部３５が、ページ番号ｎに対応する第一綴じ代値Ｌ１（ｎ）を導出する（ステップＳ２０１）。第一導出部３５は、折り丁番号ｋ＝ｃｅｉｌｉｎｇ（ｎ／Ｐ）を算出し、該折り丁番号ｋと、設定値記憶部２８に設定されている折り丁ページ数Ｐ及び用紙厚値ｔと、ページ番号ｎとに基づいて、式（１−１）〜式（１−４）により第一綴じ代値Ｌ１（ｎ）を算出する。
【０１３５】
続いて、綴じ位置記憶部５４が、導出された第一綴じ代値Ｌ１（ｎ）を、ページ番号ｎに対応させて記憶する（ステップＳ４０１）。
【０１３６】
次に、第二導出部３６が、ページ番号ｎに対応するページの第二綴じ代値Ｌ２（ｎ）を導出する（ステップＳ２０２）。第二導出部３６は、ページ番号ｎと、設定値記憶部２８に設定されている総ページ数Ｎ及び用紙厚値ｔとに基づいて、式（３−１）〜式（３−４）により第二綴じ代値Ｌ２（ｎ）を算出する。
【０１３７】
そして、加算部３７が、第一綴じ代値Ｌ１（ｎ）と第二綴じ代値Ｌ２（ｎ）とを加算して、ページ番号ｎに対応する綴じ代値Ｌ（ｎ）＝Ｌ１（ｎ）＋Ｌ２（ｎ）を算出する（ステップＳ２０３）。これにより、綴じ代導出部５３による綴じ代値Ｌ（ｎ）の導出処理が終了する。
【０１３８】
図１３及び図１４のフローチャートに戻って、綴じ代導出部５３によりページ番号ｎに対応する綴じ代値Ｌ（ｎ）が導出される（ステップＳ３０１）と、決定部３０が、導出された綴じ代値Ｌ（ｎ）と、設定値記憶部２８に設定されている用紙サイズ値とに基づいて、ページ番号ｎに対応する印字領域Ａ（ｎ）を決定する（ステップＳ１０９）。
【０１３９】
続いて、決定部３０が、設定値記憶部２８から画像ページ数Ｍを読み出し、該画像ページ数Ｍとページ番号ｎとを比較して、未処理のページの有無を判断する（ステップＳ１１０）。ｎ＜Ｍである場合、決定部３０は、未処理のページ有りと判断し、綴じ代導出部２９が、ページ番号ｎ＋１に対応する綴じ代値Ｌ（ｎ＋１）を導出する（ステップＳ３０１）。
【０１４０】
ｎ＝Ｍである場合（ステップＳ１１０）、決定部３０は、未処理のページ無しと判断する。そして、拡縮率算出部３１が、各ページ番号ｎに対応する拡縮率Ｒ（ｎ）の算出を行い、変換部３２が、該拡縮率Ｒ（ｎ）に基づいて、各ページの画像を拡縮し、変換画像データを生成する（ステップＳ１１１）。
【０１４１】
また、付加生成部５２が、綴じ位置記憶部５４に記憶されている第一綴じ代値Ｌ１（ｎ）を読み出し、該第一綴じ代値Ｌ１（ｎ）に基づいて、綴じ位置画像データを生成する（ステップＳ３０２）。
【０１４２】
ここで、付加生成部５２による綴じ位置画像データの生成について、図１６を用いて説明する。
図１６は、綴じ位置表示ライン及び綴じ位置表示マークの付加例を示す図である。
図１６（ａ）は、各折り丁の外側ページに付加される綴じ位置表示ラインを示す図であり、図１６（ｂ）は、内側ページに付加される綴じ位置表示マークを示す図である。
図１６（ａ）及び図１６（ｂ）において、用紙の左側ページは、ページ番号ｎに対応し、右側ページは、ページ番号ｎ´に対応している。
【０１４３】
付加生成部５２は、まず、ページ番号ｎに対応するページが、折り丁の外側ページであるか否かを判断する。付加生成部５２は、ページ番号ｎと、該ページに対応する折り丁番号ｋとが、関係式ｎ＝（ｋ−１）×Ｐ＋１及びｎ＝ｋ×Ｐの何れかを満たすか否かを判断する。ここで、Ｐは、設定値記憶部２８に設定されている折り丁ページ数である。
【０１４４】
何れかの関係式が満たされる場合、付加生成部５２は、ページ番号ｎに対応するページが、折り丁番号ｋの折り丁の外側ページであると判断する。そして、付加生成部５２は、該ページに、図１６（ａ）に示される綴じ位置表示ライン５６−ｎを付加すべく、対応する綴じ位置画像データを生成する。
【０１４５】
何れの関係式も満たされない場合、付加生成部５２は、ページ番号ｎに対応するページが、折り丁番号ｋの折り丁の内側ページであると判断する。そして、付加生成部５２は、該ページに図１６（ｂ）に示される綴じ位置表示マーク５７−ｎを付加すべく、対応する綴じ位置画像データを生成する。
【０１４６】
上記のように、付加生成部５２は、各ページ番号ｎに対応する綴じ位置画像データを生成する。外側ページであると判断されたページと同一面上に配置されるページ番号ｎ´のページは、外側ページであると判断され、図１６（ａ）に示されるように、綴じ位置表示ライン５６−ｎ´に対応する綴じ位置画像データが生成される。同様に、内側ページであると判断されたページと同一面上に配置されるページ番号ｎ´のページは、内側ページであると判断され、図１６（ｂ）に示されるように、綴じ位置表示マーク５７−ｎ´に対応する綴じ位置画像データが生成される。
【０１４７】
続いて、付加生成部５２は、ページ番号ｎに対応する変換画像データと、ページ番号ｎに対応する綴じ位置画像データとを合成して、綴じ位置表示ライン或いは綴じ位置表示マークが付加された付加変換画像データを生成する（ステップＳ３０３）。
【０１４８】
そして、入替生成部５５が、各ページ番号ｎに対応する付加変換画像データのページ順を、印刷順に入れ替えて、製本印刷データを生成し（ステップＳ３０４）、出力部３４が、製本印刷データを画像形成部２１へ出力する。
【０１４９】
画像形成部２１は、画像処理部５１から入力された製本印刷データに基づいて、各用紙の表裏両面に画像を形成し、冊子原稿を出力する（ステップＳ１１３）。これにより、デジタル複合機５０による冊子原稿生成処理が終了する。
【０１５０】
上記のように、綴じ位置表示ライン及び綴じ位置表示マークが付加された折り丁冊子の冊子原稿が生成される。
【０１５１】
図１７は、実施例２の折り丁冊子を説明する図である。
折り丁冊子の各ページに、綴じ位置表示ライン５６或いは綴じ位置表示マーク５７が付加されることにより、図１７に示されるように、折り丁冊子の表面及び側面から、綴じ位置を目視可能となっている。
【０１５２】
以上のように、本実施例のデジタル複合機によれば、オペレータが、冊子原稿の紙面上に付加された綴じ位置表示ライン及び綴じ位置表示マークを目視して、綴じ位置を確認できる。したがって、デジタル複合機がフィニッシャ等の製本機能を持たず、オペレータが手動で製本作業しなければならない場合も、綴じ位置のずれが防止され、見栄えの良い製本冊子をより容易に作成可能となる。
【産業上の利用可能性】
【０１５３】
上記した各実施例では、本発明として、プリンタ及び画像処理部が備えられるデジタル複合機を例に、説明を行ったが、本発明はこれに限定されない。例えば、ファクシミリ装置やコピー機等にも適用可能である。また、画像処理装置としてのパーソナルコンピュータに、画像形成部としてのプリンタを接続して、画像形成装置を構成することも可能である。
【０１５４】
図１８は、本発明に係る画像形成装置の変形例を示す図である。
画像形成装置６０は、画像処理装置としてのパーソナルコンピュータ６１と、該パーソナルコンピュータ６１に接続される画像形成部としてのプリンタ６２とを含んで構成される。パーソナルコンピュータ６１には、更に、操作入力部としてのキーボード６３及びマウス６４が接続される。
【０１５５】
また、上記した各実施例では、操作入力部は、用紙サイズ値の入力を行うが、本発明はこれに限定されない。製本印刷に使用する用紙の種別を示す用紙種別情報を入力することも可能である。操作入力部は、例えば、用紙種別情報として、用紙サイズを指定するための「Ａ４」、「Ａ３」、「Ｂ４」等の用紙サイズ情報と、用紙厚を指定するための「厚口」、「薄口」等の用紙厚情報とを入力する。画像処理部は、各用紙サイズ情報に対応する用紙長辺値及び用紙短辺値の組み合わせと、各用紙厚情報に対応する用紙厚値とを、予め記憶する。そして、サイズ取得部が、入力された用紙サイズ情報及び用紙厚情報に基づいて、各用紙サイズ値を読み出して取得する。この場合、オペレータは、具体的な用紙サイズ値を入力せずとも、使用する用紙の種別指定のみを行えば良いので、利便性が向上されると共に、数値の誤入力による不具合の発生が防止される。
【図面の簡単な説明】
【０１５６】
【図１】本発明の実施例１に係るデジタル複合機の機能構成を示すブロック図である。
【図２】本発明に係るデジタル複合機の概略構成図である。
【図３】本発明に係るデジタル複合機の構成を具体的に示すブロック図である。
【図４】用紙サイズを説明する図である。
【図５】中綴じ製本を説明する図である。
【図６】本発明の実施例１に係るデジタル複合機の冊子原稿生成動作を示すフローチャート（その１）である。
【図７】本発明の実施例１に係るデジタル複合機の冊子原稿生成動作を示すフローチャート（その２）である。
【図８】折り丁冊子の綴じ代を説明する図である。
【図９】本発明の実施例１に係るデジタル複合機の綴じ代値導出動作を示すフローチャートである。
【図１０】印字領域の決定例を示す図である。
【図１１】折り丁冊子における各ページの配置例を示す図である。
【図１２】本発明の実施例２に係るデジタル複合機の機能構成を示すブロック図である。
【図１３】本発明の実施例２に係るデジタル複合機の冊子原稿生成動作を示すフローチャート（その１）である。
【図１４】本発明の実施例２に係るデジタル複合機の冊子原稿生成動作を示すフローチャート（その２）である。
【図１５】本発明の実施例２に係るデジタル複合機の綴じ代値導出動作を示すフローチャートである。
【図１６】綴じ位置表示ライン及び綴じ位置表示マークの付加例を示す図である。
【図１７】実施例２の折り丁冊子を説明する図である。
【図１８】本発明に係る画像形成装置の変形例を示す図である。
【符号の説明】
【０１５７】
１０、５０  デジタル複合機
１４、５１  画像処理部
２０  画像入力部
２１  画像形成部
２２  操作入力部
２３  付与取得部
２４  画像記憶部
２５  設定部
２６  ページ算出部
２７  サイズ取得部
２８  設定値記憶部
２９  綴じ代導出部
３０  決定部
３１  拡縮率算出部
３２  変換部
３３、５５  入替生成部
３４  出力部
３５  第一導出部
３６  第二導出部
３７  加算部
５２  付加生成部
５４  綴じ位置記憶部
【図１】
2010082945.tif 000007
【図２】
2010082945.tif 000008
【図３】
2010082945.tif 000009
【図４】
2010082945.tif 000010
【図５】
2010082945.tif 000011
【図６】
2010082945.tif 000012
【図７】
2010082945.tif 000013
【図８】
2010082945.tif 000014
【図９】
2010082945.tif 000015
【図１０】
2010082945.tif 000016
【図１１】
2010082945.tif 000017
【図１２】
2010082945.tif 000018
【図１３】
2010082945.tif 000019
【図１４】
2010082945.tif 000020
【図１５】
2010082945.tif 000021
【図１６】
2010082945.tif 000022
【図１７】
2010082945.tif 000023
【図１８】
2010082945.tif 000024